(57)【特許請求の範囲】
【請求項１】
複数の像担持体にそれぞれ接触配置または近接配置された帯電部材に各別に直流電圧と交流電圧が重畳された振動電圧を印加する高圧発生回路であって、
各帯電部材へ印加する直流電圧を生成する複数の線形直流レギュレータと、
二次側端子に各線形直流レギュレータが並列接続された単一の直流トランスと、
二次側の一方の端子が各帯電部材に接続され、他方の端子が各線形直流レギュレータの出力端子に接続され、各帯電部材へ印加する交流電圧を生成する複数の交流トランスと、
前記直流トランスに流れる直流電流を検出する単一の電流検出回路とを備え、
全ての線形直流レギュレータの出力を放電開始電圧よりも低圧に調整したときの前記電流検出回路により検出される直流電流と、所定の帯電部材に対応する線形直流レギュレータを除いて他の線形直流レギュレータの出力を放電開始電圧よりも低圧に調整したときの前記電流検出回路により検出される直流電流の差分を当該所定の帯電部材と前記像担持体間の直流電流として検出する高圧発生回路。
【請求項２】
前記電流検出回路により検出される所定の帯電部材と像担持体間の直流電流が所定の目標値となるように、前記線形直流レギュレータまたは前記交流トランスの出力電圧を調整する制御部を備えている請求項１記載の高圧発生回路。
【請求項３】
前記所定の目標値を記憶する記憶手段を備え、前記制御部は前記記憶手段に記憶された値に基づいて前記線形直流レギュレータまたは前記交流トランスの出力電圧を調整する請求項２記載の高圧発生回路。
【請求項４】
前記記憶手段に、前記所定の目標値が前記帯電部材の環境温度、環境湿度若しくは累積使用時間、または、それらの何れかの組合せに基づいて複数設定されている請求項３記載の高圧発生回路。
【発明の詳細な説明】
【技術分野】
【０００１】
本発明は、像担持体に接触配置または近接配置された帯電部材に直流電圧と交流電圧が重畳された振動電圧を印加する高圧発生回路に関する。
【背景技術】
【０００２】
近年、低圧プロセス、低オゾン発生量、低コスト等の点から、ローラ型或いはブレード型等の帯電部材を像担持体の表面に接触配置または近接配置し、前記帯電部材に直流電圧と交流電圧が重畳された振動電圧を印加することにより像担持体表面を均一に帯電させる接触帯電方式を採用した画像形成装置が主流となりつつある。ここに、振動電圧は正弦波に限らず、矩形波、三角波、パルス波等周期的に変化する任意の振動波形であればよい。
【０００３】
このような接触帯電方式をＹＭＣＫの四色に対応して各別の像担持体を備えたタンデム方式のカラー画像形成装置に採用する場合、各帯電部材に高圧の直流電圧及び交流電圧を発生するトランスを夫々設ける必要があり、部品点数の増加によりコストが嵩むばかりでなく、部品の実装効率が低下するという問題があった。
【０００４】
そこで、特許文献１には、部品のプリント配線板への実装効率を向上させ、安価な電源装置を実現するべく、コンバータトランスにより高圧の直流を出力する単一の直流電源回路と、前記直流電源回路からの直流出力の電圧値を、直流電源回路と対応負荷との間に直列に挿入された各別の高耐圧トランジスタを用いて変換し、各負荷に供給する電圧変換手段を備えた高圧発生回路が提案されている。
【０００５】
【特許文献１】特開２００２−１６２８７０号公報
【発明の開示】
【発明が解決しようとする課題】
【０００６】
しかし、各像担持体への帯電電位を制御するために各帯電部材と像担持体間の電流を計測して高圧の出力電圧を制御する必要があり、上述した特許文献１に記載された技術を帯電部材へ印加する高圧発生回路に採用する場合には、個別に電流検出回路を設けなければならず、部品回路点数の増加によるコストの上昇及び実装効率の低下という同様の問題が生じるという不都合があった。
【０００７】
そこで、本願発明者は、二次側に複数の線形直流レギュレータが並列接続された単一の直流トランスと、各線形直流レギュレータの出力が二次側に各別に接続された複数の交流トランスと、前記直流トランスの二次側に接続され前記帯電部材と前記像担持体間の直流電流を検出する単一の電流検出回路を備えた高圧発生回路を構成することにより、上述の問題を解消しようと思い至った。
【０００８】
しかしながら、一般的に線形直流レギュレータはオペアンプとオペアンプの出力により駆動されるパストランジスタを備えて構成され、オペアンプの擬似ショート特性を利用してパストランジスタのベース電流が制御されることにより負荷への出力電圧が安定制御されるのであるが、その際にオペアンプの駆動電源が外部から供給されるため、パストランジスタのベース電流が外部電源から供給され、その影響により前記電流検出回路により検出される電流値が正確に検出されなくなるという問題が生じた。
【０００９】
このようなベース電流値は低温ほど大きくなるという温度特性を持つため、カラー画像形成装置の設置環境が変動すると、帯電部材と像担持体間の直流電流を計画に検出できないのである。
【００１０】
本発明の目的は、上述した従来の問題点に鑑み、環境温度の変動にかかわらず、単一の電流検出回路により複数の帯電部材と像担持体間の直流電流を正確に検出できる高圧発生回路を提供する点にある。
【課題を解決するための手段】
【００１１】
上述の目的を達成するため、本発明による高圧発生回路の第一の特徴構成は、特許請求の範囲の書類の請求項１に記載した通り、複数の像担持体にそれぞれ接触配置または近接配置された帯電部材に各別に直流電圧と交流電圧が重畳された振動電圧を印加する高圧発生回路であって、各帯電部材へ印加する直流電圧を生成する複数の線形直流レギュレータと、二次側端子に各線形直流レギュレータが並列接続された単一の直流トランスと、二次側の一方の端子が各帯電部材に接続され、他方の端子が各線形直流レギュレータの出力端子に接続され、各帯電部材へ印加する交流電圧を生成する複数の交流トランスと、前記直流トランスに流れる直流電流を検出する単一の電流検出回路とを備え、全ての線形直流レギュレータの出力を放電開始電圧よりも低圧に調整したときの前記電流検出回路により検出される直流電流と、所定の帯電部材に対応する線形直流レギュレータを除いて他の線形直流レギュレータの出力を放電開始電圧よりも低圧に調整したときの前記電流検出回路により検出される直流電流の差分を当該所定の帯電部材と前記像担持体間の直流電流として検出する点にある。
【００１２】
上述の構成によれば、単一の直流トランスから出力される所定の高圧電圧が各線形直流レギュレータに入力され、各線形直流レギュレータによって各帯電部材に印加すべき直流電圧が調整され、さらに、各交流トランスによって各帯電部材に印加すべき交流電圧が調整され、それらを重畳した振動電圧が各各帯電部材に印加される。全ての線形直流レギュレータを放電開始電圧よりも低圧に調整したときの前記電流検出回路により検出される直流電流には、線形直流レギュレータから流入する電流に起因するオフセット電流が検知される。そこで、その値と所定の帯電部材に対応する線形直流レギュレータを除いて他の線形直流レギュレータの出力を放電開始電圧よりも低圧に調整したときの前記電流検出回路により検出される直流電流との差分を求めることにより、他の線形直流レギュレータから流入する電流によるオフセット電流が排除され、当該所定の帯電部材から像担持体に流れる直流電流を正確に検出できるようになる。例えば、線形直流レギュレータが、直流トランスの出力電圧を降圧制御するパストランジスタと、降圧電圧が目標電圧になるように前記パストランジスタのベース電流をフィードバック制御するオペアンプを備えて構成される場合には、当該パストランジスタに流れるベース電流がオフセット電流として電流検出回路で検出されるが、上述の構成によれば、そのようなベース電流の影響が排除された出力が得られる。
【００１３】
同第二の特徴構成は、同請求項２に記載した通り、上述の第一特徴構成に加えて、前記電流検出回路により検出される所定の帯電部材と像担持体間の直流電流が所定の目標値となるように、前記線形直流レギュレータまたは前記交流トランスの出力電圧を調整する制御部を備えている点にある。
【００１４】
上述の構成によれば、環境温度の変動にかかわらず、所定の帯電部材と像担持体間の直流電流が所定の目標値となるように、前記線形直流レギュレータまたは前記交流トランスの出力電圧を正確に調整することができるようになった。
【００１５】
同第三の特徴構成は、同請求項３に記載した通り、上述の第二特徴構成に加えて、前記所定の目標値を記憶する記憶手段を備え、前記制御部は前記記憶手段に記憶された値に基づいて前記線形直流レギュレータまたは前記交流トランスの出力電圧を調整する点にある。
【００１６】
上述の構成によれば、例えば、前記像担持体が所定の帯電電位を備えた際に検出される直流電流値として記憶された前記所定の目標値に基づいて前記線形直流レギュレータまたは前記交流トランスの出力電圧を調整することができるようになった。
【００１７】
同第四の特徴構成は、同請求項４に記載した通り、上述の第三特徴構成に加えて、前記記憶手段に、前記所定の目標値が前記帯電部材の環境温度、環境湿度若しくは累積使用時間、または、それらの何れかの組合せに基づいて複数設定されている点にある。
【００１８】
上述の構成によれば、前記所定の目標値が前記帯電部材の環境温度、環境湿度若しくは累積使用時間、または、それらの何れかの組合せに基づいて異なる値となる像担持体であっても夫々の環境にあった前記所定の目標値を設定することができるようになった。
【発明の効果】
【００１９】
以上説明した通り、本発明によれば、環境温度の変動にかかわらず、単一の電流検出回路により複数の帯電部材と像担持体間の直流電流を正確に検出できる高圧発生回路を提供することができるようになった。
【発明を実施するための最良の形態】
【００２０】
以下、本発明による高圧発生回路について説明する。図１に示すように、高圧発生回路１は、ＹＭＣＫの四色のトナー像を形成する四本の像担持体ＰＣに夫々接触配置または近接配置された帯電ローラでなる帯電部材ＣＨに印加する直流電圧と交流電圧が重畳された振動電圧を生成する回路であって、二次側に前記像担持体ＰＣの数に対応した線形直流レギュレータとしてのシャントレギュレータ２０が並列接続された単一の直流トランス１０と、各シャントレギュレータ２０の出力が二次側に各別に接続された前記像担持体ＰＣの数に対応した交流トランス３０と、前記直流トランス１０の二次側に接続され前記帯電部材ＣＨと前記像担持体ＰＣ間の直流電流を検出する単一の電流検出回路４０とから構成されている。
【００２１】
前記直流トランス１０は、図２に示すように、制御部ＣＮＴから入力されるリモート駆動信号に基づいてパルス信号を出力するパルス信号発生手段からのパルス信号がトランスＴ１０の一次側に入力され、所定電圧に昇圧された高圧交流電圧が二次側から出力され、その高圧交流電圧がダイオードＤ１０とコンデンサＣ１０による整流回路により平滑化されて、出力端子ｔ１、ｔ２から高圧直流電圧が出力されるように構成されている。
【００２２】
前記交流トランス３０は、上述と同様に、前記制御部ＣＮＴから入力されるリモート駆動信号に基づいてパルス信号を出力するパルス信号発生手段からのパルス信号が内部に備えるトランスの一次側に入力され、所定電圧に昇圧された高圧交流電圧が二次側から出力されるように構成されている。ここに、前記高圧交流電圧は前記制御部ＣＮＴから前記パルス信号発生手段に入力される可変アナログ入力電圧に基づいて生成されるパルス信号電圧により可変に制御される。
【００２３】
前記シャントレギュレータ２０は、ＹＭＣＫの夫々の像担持体ＰＣに対応した帯電部材ＣＨに各別に直流電圧を供給すべく前記直流トランス１０の端子ｔ１、ｔ２に並列に四回路接続されており、夫々は、図３に示すように、差動増幅器としてのオペアンプＯＰ２０と、前記オペアンプＯＰ２０の出力電流により駆動されるパストランジスタＱ２０と、前記パストランジスタＱ２０のコレクタに接続された降伏電圧が２５０ＶのツェナーダイオードＺＤ２０等を備えて構成されている。
【００２４】
前記オペアンプＯＰ２０の非反転入力端子にはシャントレギュレータ２０の出力電圧を抵抗Ｒ２１、Ｒ２０により分圧した分圧電圧が入力され、反転入力端子には基準電圧が入力されている。従って、基準電圧と分圧電圧が等しくなるように前記オペアンプＯＰ２０からパストランジスタＱ２０にベース電流が供給され、その結果、抵抗Ｒ２３及びツェナーダイオードＺＤ２０に流れる電流により出力電圧Ｖｄｃが調整される。
【００２５】
前記基準電圧は固定の比較電圧Ｖｒｅｆと前記制御部ＣＮＴにより制御される制御電圧Ｖｃｎｔにより可変に調整され、前記制御電圧Ｖｃｎｔの夫々が個別に調整されることにより各帯電部材ＣＨに印加される直流電圧が２５０Ｖから７５０Ｖの間で可変且つ安定に調整される。
【００２６】
図１に示すように、前記シャントレギュレータ２０の出力端子は、交流電圧をバイパスさせるバイパスコンデンサＣを介して各交流トランス３０の二次側端子に接続されており、前記シャントレギュレータ２０からの直流電圧と前記交流トランス３０からの交流電圧が重畳された振動電圧が各帯電部材ＣＨに印加されるように構成されている。
【００２７】
前記電流検出回路４０は、図４に示すように、電流電圧変換用のオペアンプＯＰ４１と増幅用のオペアンプＯＰ４０を備えて構成されている。前記オペアンプＯＰ４１の反転入力端子には前記直流トランス１０の二次低圧側端子ｔ２が接続され、非反転入力端子には前記比較電圧Ｖｒｅｆを抵抗Ｒ４３、Ｒ４４により分圧した電圧が基準電圧として入力されており、前記基準電圧と二次低圧側端子ｔ２間の電圧が等しくなるようにフィードバック抵抗Ｒ４２を流れる電流値が電圧変換され、さらに前記オペアンプＯＰ４０で増幅された後に前記制御部ＣＮＴに入力される。
【００２８】
前記電流検出回路４０により特定の帯電部材ＣＨと像担持体ＰＣ間の直流電流を検出する際には、当該特定の帯電部材ＣＨに対応するシャントレギュレータ２０を除いて他のシャントレギュレータ２０の出力と、当該特定の帯電部材ＣＨに対応する交流トランスの出力が放電開始電圧よりも低圧に調整される。
【００２９】
具体的には、前記制御部ＣＮＴにより他の三つのシャントレギュレータ２０の制御電圧Ｖｃｎｔが調整され、出力が放電開始電圧より低い約２５０Ｖになるように調整され、交流トランスの１つを除いてＯＦＦにされた後に、前記電流検出回路４０の値が読み込まれるのである。このようにして、特定の帯電部材ＣＨと像担持体ＰＣ間の直流電流を検出する際には、他の帯電部材ＣＨと像担持体ＰＣ間に電流が流れないように、対応する夫々のシャントレギュレータ２０と交流トランスにより前記直流電圧が放電開始電圧よりも低圧に調整されることで、当該特定の帯電部材ＣＨからの直流電流値を単一の電流検出回路４０により検出できるようになる。
【００３０】
尚、本実施形態では、前記パストランジスタＱ２０のベース電流Ｉｂが前記オペアンプＯＰ２０を駆動する外部電源から供給されるため、前記シャントレギュレータ２０の出力電圧を放電開始電圧よりも低圧に調整する際に前記パストランジスタＱ２０を介して前記直流トランス１０の二次側に流れ込むベース電流の影響により、前記電流検出回路４０により検出される電流値にオフセットノイズの影響が現れる。具体的には、前記電流検出回路４０により検出される電流値がＩｄｃ−ΣＩｂとして求められるのである。
【００３１】
前記直流電流Ｉｄｃの検出について詳述すると、前記オペアンプＯＰ４１では、前記像担持体ＰＣの夫々からグランドに流れた前記帯電部材ＣＨと前記像担持体ＰＣ間の前記電流Ｉａｃ＋Ｉｄｃのうち前記直流電流Ｉｄｃの夫々が、前記オペアンプＯＰ４１に印加される制御電圧のグランド側端子から出力端子に流れる。前記直流電流Ｉｄｃの合計となる直流電流ΣＩｄｃは、抵抗Ｒ４２を経由して前記直流トランス１０の低圧側へと流れ、該高圧発生回路１の直流電流成分のループを形成する。
【００３２】
前記シャントレギュレータ２０の夫々から前記直流トランス１０の低圧側へ流れた前記直流電流Ｉｂ＋Ｉｃ＋Ｉｒの合計となる前記直流電流ΣＩｂ＋ΣＩｃ＋ΣＩｒのうち前記駆動電流ΣＩｂは、前記直流トランス１０から出力されていないためグランドに流れた前記直流電流ΣＩｄｃの全てが前記電流検出回路４０から前記直流トランス１０の低圧側に流れることはなく、前記駆動電流ΣＩｂを打ち消すように直流電流ΣＩｄｃ−ΣＩｂが前記電流検出回路４０から前記直流トランス１０の低圧側に流れ、前記直流トランス１０の二次側の低圧側には高圧側からの出力電流と同じΣＩｄｃ＋ΣＩｃ＋ΣＩｒが流れる。
【００３３】
ここで、該高圧発生回路１では、各シャントレギュレータ２０の中の一つを除いて他の出力を放電開始電圧よりも低圧に調整することにより前記直流電流を各別に検出するように構成されているため、前記電流検出回路４０による電流検出時には１つの前記シャントレギュレータ２０からのみ前記直流電流Ｉｄｃが流れる。つまり、前記電流検出回路４０では、直流電流Ｉｄｃ−ΣＩｂを検出することとなり、正確な前記直流電流Ｉｄｃを検出することができないのである。
【００３４】
このオフセットノイズの値が常に一定であれば特に問題は無いが、前記パストランジスタＱ２０の電流増幅率が温度変動の影響を受けて大きく変動するために、ベース電流Ｉｂの値も大きく変動することになる。このような温度特性のために、前記電流検出回路４０により検出される電流値は誤差による影響を受ける恐れがある。
【００３５】
そこで、まず前記電流検出回路４０は全てのシャントレギュレータ２０を放電開始電圧よりも低圧に調整したときの直流電流−ΣＩｂを検出し、その後、所定の帯電部材ＣＨに対応するシャントレギュレータ２０を除いて他の出力を放電開始電圧よりも低圧に調整したときの直流電流Ｉｄｃ−ΣＩｂを検出する。前記制御部ＣＮＴは、前記直流電流−ΣＩｂを記憶し、前記直流電流Ｉｄｃ−ΣＩｂの入力時に差分演算を行い、当該所定の帯電部材ＣＨと像担持体ＰＣ間の直流電流Ｉｄｃとして検出する。前記制御部ＣＮＴは、前記直流電流Ｉｄｃが所定の目標値となるように、前記シャントレギュレータ２０または前記交流トランス３０の出力電圧を調整する。
【００３６】
前記所定の目標値は、前記帯電部材の環境温度、環境湿度若しくは累積使用時間、または、それらの何れかの組合せなどの環境条件に基づいて複数設定されたテーブルデータとして前記記憶手段ＭＥＭに記憶されている。
【００３７】
前記直流電流値Ｉｄｃを前記所定の目標値に維持するように前記制御部ＣＮＴが行う調整について詳述すると、前記制御部ＣＮＴは、前記環境条件に基づき、前記記憶手段ＭＥＭの前記テーブルデータを参照して前記所定の目標値を取得する。前記直流電流Ｉｄｃが前記所定の目標値となるように前記制御部ＣＮＴは、前記交流トランス３０を制御し、前記交流電圧のピーク間電圧値Ｖｐｐを調整する。
【００３８】
前記交流トランス３０の最大出力電圧値や、前記帯電部材ＣＨや前記像担持ＰＣ体の耐電圧特性などにより、必要とされる前記ピーク間電圧値Ｖｐｐが出力できず、前記直流電流Ｉｄｃを前記所定の目標値とすることができないときには、前記制御部ＣＮＴは、前記ピーク間電圧値Ｖｐｐを固定し、前記直流電流Ｉｄｃが前記所定の目標値となるように前記シャントレギュレータ２０を制御し、前記直流電圧Ｖｄｃを調整する。
【００３９】
ここで、前記直流電圧Ｖｄｃを調整することにより前記直流電流Ｉｄｃを前記所定の目標値としたときには、前記ピーク間電圧値Ｖｐｐが所定の値に達しておらず前記像担持体ＰＣの帯電状態は安定していないため、前記画質の低下が予想されるが画像形成を実行可能とすると共に、余分なトナーの消費を回避することができる。
【００４０】
以下に、別実施形態を説明する。
【００４１】
上述の構成では、前記帯電部材ＣＨは前記像担持体ＰＣと接触配置される構成としたが、近接配置される構成であっても良い。
【００４２】
上述の実施形態では、線形直流レギュレータとしてシャントレギュレータを備える構成としたが、シャントレギュレータ以外の例えばシリーズレギュレータ等を備える構成であってもよい。
【００４３】
上述の実施形態では、像担持体の数、即ち４つの出力に対応した１つの高圧発生回路について説明したが、これに限らず２つ以上の出力に対応したものであればよい。
【００４４】
上述の構成では、電流検出回路４０により検出された直流電流に基づき前記制御部ＣＮＴにより検出された直流電流Ｉｄｃが、記憶手段ＭＥＭに記憶された環境条件に基づき複数設定された所定の目標値となるように、前記制御部ＣＮＴが前記シャントレギュレータ２０または前記交流トランス３０の出力電圧を調整したが、図５に示すように、前記ピーク間電圧値Ｖｐｐと前記直流電流Ｉｄｃとの関係を表す二次元座標上の想定特性曲線に対して、前記制御部ＣＮＴは、前記シャントレギュレータ２０の出力を一定に調整した後、前記ピーク間電圧値Ｖｐｐを昇圧したときに直線の傾きが変化する点の電圧値より低圧側と想定される異なる二つの低圧側ピーク間電圧値Ｖｐｐ（Ａ），Ｖｐｐ（Ｂ）を印加したときに計測される直流電流値Ｉｄｃ（Ａ），Ｉｄｃ（Ｂ）に基づいて得られる座標Ａ（Ｖｐｐ（Ａ），Ｉｄｃ（Ａ））、Ｂ（Ｖｐｐ（Ｂ），Ｉｄｃ（Ｂ））を通る直線Ｌ１と、前記傾きが変化する点の電圧値より高圧側と想定される高圧側ピーク間電圧値Ｖｐｐ（Ｃ）を印加したときに計測される直流電流値Ｉｄｃ（Ｃ）に基づいて得られる座標Ｃ（Ｖｐｐ（Ｃ），Ｉｄｃ（Ｃ））を通り前記ピーク間電圧値Ｖｐｐを表す座標軸に平行な直線Ｌ２との交点に対応するピーク間電圧値Ｖｐｐを出力するように前記交流トランス３０を制御し、この時、前記交点に対応するピーク間電圧値Ｖｐｐを出力できない場合は、前記制御部ＣＮＴは、前記交流トランス３０の出力を一定に調整し、前記直線Ｌ２における前記直流電流値Ｉｄｃが前記所定の目標値となるように前記シャントレギュレータ２０を制御することで前記直流電圧Ｖｄｃを調整する構成であっても良い。
【００４５】
尚、前記ピーク間電圧値Ｖｐｐ（Ａ）、Ｖｐｐ（Ｂ）、Ｖｐｐ（Ｃ）は、例えば図６に示すように、夫々の値が定められたテーブルデータとして、前記環境条件毎に予め記憶手段ＭＥＭに記憶されており、前記制御部ＣＮＴは前記環境条件に基づき前記記憶手段ＭＥＭを参照し、前記ピーク間電圧値Ｖｐｐ（Ａ）、Ｖｐｐ（Ｂ）、Ｖｐｐ（Ｃ）を取得する。
【００４６】
上述の構成では、電流検出回路４０により検出された直流電流に基づき、前記制御部ＣＮＴにより検出された直流電流Ｉｄｃが、記憶手段ＭＥＭに記憶された環境条件に基づき複数設定された所定の目標値となるように、前記制御部ＣＮＴが前記シャントレギュレータ２０または前記交流トランス３０の出力電圧を調整したが、前記環境条件の夫々において、全てのシャントレギュレータ２０を放電開始電圧よりも低圧に調整したときの前記電流検出回路４０により検出される直流電流−ΣＩｂの影響を、前記記憶手段ＭＥＭに記憶する所定の目標値へ事前に反映し、所定の帯電部材に対応するシャントレギュレータ２０を除いて他の出力を放電開始電圧よりも低圧に調整したときに前記電流検出回路４０により検出される直流電流Ｉｄｃ−ΣＩｂが前記所定の目標値となるように、前記制御部ＣＮＴが前記シャントレギュレータ２０または前記交流トランス３０の出力電圧を調整する構成であっても良い。
【００４７】
上述の実施形態は何れも本発明の一実施例に過ぎず、当該記載により本発明の範囲が限定されるものではなく、各部の具体的構成は本発明による作用効果を奏する範囲において適宜変更することができることは言うまでもない。
【図面の簡単な説明】
【００４８】
【図１】高圧発生回路の構成図
【図２】直流トランスの回路図
【図３】シャントレギュレータの回路図
【図４】電流検出回路の回路図
【図５】別実施形態で求める直線Ｌ１、Ｌ２と、座標Ａ、Ｂ、Ｃと、前記直線Ｌ１、Ｌ２の交点に対応するピーク間電圧値Ｖｐｐの説明図
【図６】別実施形態で使用する温湿度毎に定めたピーク間電圧値Ｖｐｐ（Ａ）、Ｖｐｐ（Ｂ）、Ｖｐｐ（Ｃ）のテーブルデータの説明図
【符号の説明】
【００４９】
１０：直流トランス
２０：線形直流レギュレータ（シャントレギュレータ）
３０：交流トランス
４０：電流検出回路
ＣＮＴ：制御部
ＣＨ：帯電部材
ＭＥＭ：記憶手段
ＰＣ：像担持体
【図１】
0004480683.tif 000002
【図２】
0004480683.tif 000003
【図３】
0004480683.tif 000004
【図４】
0004480683.tif 000005
【図５】
0004480683.tif 000006
【図６】
0004480683.tif 000007